(57)【要約】【課題】スピーカ部よりでる振動が筐体に伝わるのを防ぐために、曲がり困難な弾性部材でスピーカと筐体を固定する。【解決手段】スピーカの貫通孔３３より、弾性部材２０の先端部分２２であって、スピーカの貫通孔３３より径の細い部分を挿入し、その先端部分２２を持って引っ張ることで、先端部分２２より徐々に径が大きくなった円錐状の山型部２２を挿通させることができる。【選択図】      図３
2008258752.tif 000002
【特許請求の範囲】
【請求項１】
映像を表示するディスプレイと、
音声を出力するスピーカと、
アンテナで受信されるテレビ放送信号から選択されているチャンネルのテレビ放送信号を抽出し出力するチューナと、
上記チューナが出力したテレビ放送信号に基づき、映像を上記ディスプレイに表示させ、音声を上記スピーカに出力させる映像音声処理部と、
上記ディスプレイの表示領域を露出させる開口部と収容しつつ同スピーカを外部に露出させるスピーカ用開口部を有する前面キャビネットと、
を備えるパネル型テレビジョンであって、
上記スピーカは、フランジ状の取り付け部分を有し、該取り付け部分の両端には、それぞれ２箇所ずつ貫通する孔があり、
上記前面キャビネットは、上記スピーカ用の開口部の両端の外側に、スピーカの中心部からスピーカの取り付け部分の端までの距離とスピーカの開口部の中心部から同じ距離離れた位置から、突出して所定距離だけ延出した後、開口部とは逆方向に屈曲した受け部を有しており、
上記スピーカに取り付けられるゴム部材を備えており、
上記ゴム部材は、スピーカの孔の径より細い円柱状の先端部と、該先端部の径から下に行くほど径が太くなる円錐状の山型部を有し、
上記ゴム部材は、山型部の下部にスピーカの孔の径より太い円柱状の円柱部を２つ備えており、
上記弾性部材の山型部と円柱部はスピーカの孔を通る径の連結部により連結されており、
第１の円柱部と第２の円柱部の間には円柱の径より細い径の円柱連結部により連結されており、
上記前面キャビネットの受け部は上記ゴム部材の円柱連結部の径の直径と同じぐらいの幅の挿入口が屈曲した部分に設けられ、挿入口は円形連結部の径の直径以上の奥行きを有することを特徴とするパネル型テレビジョン。
【請求項２】
フランジ状の取り付け部分に貫通孔を有するスピーカと、
上記スピーカを収容しつつ同スピーカを外部に露出させる開口部を有する筐体と、
を有している、スピーカの取付構造であって、
上記スピーカに取り付けられる弾性部材を有しており、
上記弾性部材は、上記貫通孔の径より細い円柱状の先端部と、該先端部から連続して形成されて下に行くほど径が太くなる円錐状の山型部と、
上記貫通孔の径より太い円柱状の円柱部と、
上記貫通孔を挿入可能で上記弾性部材の山型部と円柱部とを連結する連結部を有する  ことを特徴とするスピーカ部の取付構造。
【請求項３】
上記筐体は開口部から所定の距離の位置から突出して所定の距離だけ延出した後、屈曲した受け部を有しており、
上記円柱部は第１の円柱部と上記受け部の高さ以下の高さの第２の円柱部と同第１の円柱部と第２の円柱部とを連結する細い径の円柱連結部とを備えており、
上記受け部は上記弾性部材の円柱連結部の径の直径と略同等幅の挿入口が上記屈曲した部分に設けられ、同挿入口は、上記円形連結部の径の直径以上の奥行きを有することを特徴とする請求項２に記載のスピーカ部の取付構造。
【請求項４】
上記弾性部材は、先端部に球状部位を有していることを特徴とする請求項２または請求項３に記載のスピーカ部の取付構造。
【請求項５】
上記弾性部材は、ゴムでできていることを特徴とする請求項２から請求項４のいずれかに記載のスピーカ部の取付構造。
【発明の詳細な説明】
【技術分野】
【０００１】
この発明は、パネル型テレビジョン及びスピーカ部の取付構造に関する。
【背景技術】
【０００２】
従来、スピーカを筐体に取り付ける際には、弾性部材を挟み込むことで、振動が伝わり難くする技術が、知られている。
例えば、特許文献１では、筐体に係合用突起を設け、そこにスピーカボックスのスリットに挟まれた弾性部材を挿入する構造が開示されている。
また、特許文献２では、スピーカボックスのスリットに挟まれた弾性部材を筐体のシャフトに挿入する構造が開示されている。
そして、特許文献３では、リブに挿入された弾性部材のスリット部分にスピーカボックスを挿入する構造が開示されている。
【特許文献１】特開２００３−１０２０８１号公報
【特許文献２】特開２００６−１０９３７５号公報
【特許文献３】実開昭５４−１６４３０号公報
【発明の開示】
【発明が解決しようとする課題】
【０００３】
しかしながら、上述した特許文献１〜３に記載の技術は、いずれも、スピーカボックスもしくは、弾性部材に設けられたスリットで、他方を挿入する形で装着されている。スリットの場合には、スリットの外側方向への力が働くと、簡単に取れてしまう可能性がある。
【０００４】
本発明は、上記課題に鑑みてなされたもので、スピーカ取り付け部のの貫通孔に挿入可能で、びびりの発生を抑制するような弾性部材を用いたパネル型テレビジョン及びスピーカ部の取付構造の提供を目的とする。
【課題を解決するための手段】
【０００５】
上記目的を達成するため、主たる発明のスピーカ部取付構造では、フランジ状の取り付け部分に貫通孔を有するスピーカと上記スピーカを収容しつつ同スピーカを外部に露出させる開口部を有する筐体とを有している、スピーカの取付構造であって、上記スピーカに取り付けられる弾性部材を有しており、上記弾性部材は、上記貫通孔の径より細い円柱状の先端部と、該先端部から連続して形成されて下に行くほど径が太くなる円錐状の山型部と、上記貫通孔の径より太い円柱状の円柱部と、上記貫通孔を挿入可能で上記弾性部材の山型部と円柱部とを連結する連結部を有する構成としてある。
【０００６】
本発明の他の特徴については、本明細書及び添付図面の記載により明らかにする。
【発明を実施するための最良の形態】
【０００７】
本明細書及び添付図面の記載により、少なくとも、以下の事項が明らかとなる。
【０００８】
上記主たる発明の構成によれば、先端部は貫通孔より細いため、簡単に挿入することができる。山型部も初めは貫通孔よりも径が細いが、次第に貫通孔よりも径が太くなり、そのままでは挿通が困難である。しかし、本発明においては、先端部がすでに出ているため、その部分を持って引っ張りあげることが可能である。また、山型部は徐々に径が大きくなっていくため、滑りやすく、また引っ張りあげた際に、上に伸びるので、その部分の径が細くなり、径の細い貫通孔を挿通することができる。なお、一度山型部分が挿通すると、孔よりも径の大きい部分が孔に対して垂直なため、係止部分を縮めようとする外力が加わらない限り、孔から抜けることはない。
従って、本発明によれば、折り曲げ困難な弾性部材を、引っ張りあげることで、孔よりけいの太い部分であっても、挿通させることが可能となる。
【０００９】
上記筐体及び弾性部材の一例として、上記筐体は開口部から所定の距離の位置から突出して所定の距離だけ延出した後、屈曲した受け部を有しており、上記弾性部材の円柱部は第１の円柱部と受け部の高さ以下の高さの第２の円柱部と同第１の円柱部と第２の円柱部とを連結する細い径の円柱連結部とを備えており、上記受け部は上記弾性部材の円柱連結部の径の直径と略同等幅の挿入口が上記屈曲した部分に設けられ、同挿入口は、上記円形連結部の径の直径以上の奥行きを有する構成としてある。
このような構成では、円形連結部が受け部の屈曲部分に設けられた挿入口と同じか小さいため、挿入口に円形連結部を挿入することができる。その際、第２の円柱部は、第２の円柱部が、受け部の屈曲部分と筐体の間の高さと略同じか低いため、第２の円柱部は屈曲部分の下に入り込むことができる。よって、このような構成では、第２の円柱部が受け部にセットされ、弾性部材によって、スピーカが筐体に固定されるため、ネジなどを使う必要がなくなる。
【００１０】
上記弾性部材の先端部の一例として、球状部位を有している構成としてある。
このような構成では、先端に先端部より径の大きい球状部位をを形成することで、小さな部材でも引っ張りあげるときにすべりににくなる。
【００１１】
上記弾性部材の一例として、ゴムでできている構成とすることができる。
このような構成によれば、ゴムという一般的な素材を使用することで、特殊な材料を使わないため、安価にすることができる。
【００１２】
また、更に具体的な構成としてのパネル型テレビジョンは、映像を表示するディスプレイと、音声を出力するスピーカと、アンテナで受信されるテレビ放送信号から選択されているチャンネルのテレビ放送信号を抽出し出力するチューナと、上記チューナが出力したテレビ放送信号に基づき、映像を上記ディスプレイに表示させ、音声を上記スピーカに出力させる映像音声処理部と、を備えるパネル型テレビジョンであって、上記ディスプレイの表示領域を露出させる開口部と収容しつつ同スピーカを外部に露出させるスピーカ用開口部を有する前面キャビネットと、上記スピーカであって、フランジ状の取り付け部分を有し、該取り付け部分の両端には、それぞれ２箇所ずつ貫通する孔があり、上記前面キャビネットは、上記スピーカ用の開口部の両端の外側に、スピーカの中心部からスピーカの取り付け部分の端までの距離とスピーカの開口部の中心部から同じ距離離れた位置から、突出して所定距離だけ延出した後、開口部とは逆方向に屈曲した受け部を有しており、上記スピーカに取り付けられるゴム部材を備えており、上記ゴム部材は、スピーカの孔の径より細い円柱状の先端部と、該先端部の径から下に行くほど径が太くなる円錐状の山型部を有し、上記ゴム部材は、山型部の下部にスピーカの孔の径より太い円柱状の円柱部を２つ備えており、上記弾性部材の山型部と円柱部はスピーカの孔を通る径の連結部により連結されており、第１の円柱部と第２の円柱部の間には円柱の径より細い径の円柱連結部により連結されており、上記前面キャビネットの受け部は上記ゴム部材の円柱連結部の径の直径と同じぐらいの幅の挿入口が屈曲した部分に設けられ、挿入口は円形連結部の径の直径以上の奥行きを有する構成としてある。
上記のようにさらに具体的に構成すると、上述した各発明と同様の効果を奏することは言うまでもない。
【００１３】
以下、添付図面に基づいて本発明の実施形態について説明する。
まず、本発明のパネル型テレビジョン装置の概略構成について説明する。
図１は、テレビジョン１００を斜め前方より見た斜視図である。同図において、テレビジョン１００は、キャビネット４０とディスプレイ１４とスピーカ３０と脚部５０とから構成されている。キャビネット４０は、ディスプレイ１４をその映像を表示する表示領域が前面側に露出されるように保持しつつ、同キャビネット内部に音声を出力するスピーカ３０が設置され、スピーカ用の開口部４３が設けられている。脚部５０は、ディスプレイ１４の表示面が略鉛直に配向するようにキャビネット４０を支持する。
【００１４】
図２は、本実施例におけるテレビジョン１００の概略構成を説明するブロック図である。なお、当該テレビジョン１００について、本願発明と直接関連しない構造については、詳細な説明、及び図示を省略する。
【００１５】
同図において、テレビジョン１００は、アンテナ１１aで受信されるテレビ放送信号から選択されているチャンネルのテレビ放送信号を抽出し出力するチューナ１１と、当該テレビ放送信号に基づき映像と音声を出力させる映像音声処理部１２と、音声を出力するスピーカ３０と、映像を表示するディスプレイ１４と、マイコン１５と、各部に電源を供給する電源回路１６とを備えている。
【００１６】
上記構成において、マイコン１５は、テレビジョン１００を構成する各部と電気的に接続しており、マイコン１５の内部構成部品としてのＣＰＵが、同じくマイコンの構成部品であるＲＯＭやＲＡＭなどに書き込まれた各プログラムに従って、テレビジョン１００を制御する。
【００１７】
次に、スピーカ部の取付構造について説明する。
図３は、スピーカ３０と前面キャビネット４１を固定するゴム部材２０の斜視図である。ここでは、弾性部材の例として、ゴムを挙げるが、振動を抑える効果のある物質で、自立、固定ができる程度の硬度がある物質であれば、他のものでもよい。なお、ゴムであっても、自立、固定ができない硬度のものは、この発明では利用しない。
【００１８】
ゴム部材２０は、先端に球状部位２１ａを有する先端部２１と、先端部２１から連続して形成されており、下に行くほど径が太くなる円錐状の山型部２２と、第１の円柱部２４と、第２の円柱部２６と、それぞれの連結部２３、２５を有している。
【００１９】
球状部位２１ａを含む先端部２１は、スピーカ取り付け部分３２の貫通孔３３の径より径が細くなっている。なお、ゴム部材２０は自立可能な程度の硬度があり、先端部にもある程度の太さがあるため、先端部が挿通させる際に、ゴムが折れ曲がってしまうことはほとんどない。先端部２１が貫通孔３３よりも細く、また自立しているため、貫通孔３３への挿通が簡単である。
【００２０】
山型部２２は、先端部２１から連続して径が太くなるようになっている。山型部２２徐々に径が広がっていく際に、貫通孔３３に対して角度が斜めになるため、滑りやすく、貫通孔３３の径より大きくても挿入することができる。一度挿入すると、貫通孔３３よりも径の大きい部分が孔に対して垂直なため、山型部２２を縮めようとする外力が加わらない限り、貫通孔３３から抜けることはない。そのため、山型部２２を円錐状の形状にすることで、挿入しやすく、抜けにくくすることができる。
【００２１】
第１の円柱部２４と第２の円柱部２６は、いずれもスピーカ取り付け部の貫通孔３３の径より径が太くなっている。円柱形をしているため、貫通孔３３の径より太い部分が、得貫通孔３３に対して垂直に広がっているため、第１の円柱部２４及び第２の円柱部２６を縮めて、貫通孔３３に対して鋭角から挿入しようとする外力が働かない限り、第１の円柱部２４が貫通孔３３を通り抜けることがない。こういった外力は、通常のスピーカの動作時には発生することはなく、ゴム部材２０を取り外す意図がなければ、発生しない外力である。なお、第１の円柱部の径と第２の円柱部の径は異なっても良いが、成形の簡便さから同じ径が好ましい。
【００２２】
連結部２３の径は、スピーカ取り付け部の貫通孔３３の径と同等もしくは少し太くても良い。少し太くても弾性部材は収縮することが可能なので、連結部２３が、貫通孔３３を挿通可能となっている。なお、連結部２５の径は、第１の円柱部２４及び第２の円柱部２６の径よりも細く、好ましくは、成形の簡便さから連結部２３と同じ径が良い。
【００２３】
なお、連結部２３、２５の長さはできるだけ短い方がよい。連結部２３の長さはスピーカ取り付け部分３２の貫通孔３３付近の厚さと略同一で、連結部２５の長さは後述する受け部４４の屈曲した部分４４ｂの厚さと略同一であることが好ましい。このようにできるだけ短くすることで、固定がしやすくなる。
【００２４】
図４は、スピーカの取り付け部分の斜視図である。
同図においてスピーカ３０は、スピーカの本体部分３１に、フランジ状の取り付け部分３２を有している。図では、両端がクランク状になっているが、両端は必ずしもクランク状でなくてもよい。クランク状になった部分に貫通孔３３が左右の端それぞれ２箇所ずつ設けられている。なお、貫通孔３３は、従来のネジ止めする際のネジ用の貫通孔でよく、本発明のために特殊なスピーカを作成するのではなく、従来からあるスピーカを利用することができる。
【００２５】
キャビネット４０は、前面キャビネット４１と後面キャビネット４２によって、構成されており、その内部にディスプレイ１４やスピーカ３０、基板（不図示）等が収容されている。
前面キャビネット４１はディスプレイ１４用の開口部の下であって、ディスプレイの左右の端部に近い位置にスピーカ用の開口部４３を設けている。スピーカ用の開口部４３は、孔があいている等、音声が外部に出力されるようになっていればよく、ディスプレイ用の開口部のように、完全に開口している必要はない。
【００２６】
前面キャビネット４１の内側には、スピーカ用の開口部４３の両端の外側に、スピーカ３０の中心部から取り付け部分３２の端の貫通孔３３までの距離とスピーカの開口部の中心部から同じ距離離れた位置から突出して、第２の円柱部２６の厚さと略同じだけ延出した延出部４４ａと、延出部４４ａから開口部とは逆方向に屈曲した屈曲した部分４４ｂとからなる受け部４４が設けられている。つまり、受け部４４はスピーカの貫通孔３３と当接する位置に設けられている。
【００２７】
なお、受け部４４は、前面キャビネット４１の短辺に略平行になる直線上に並べられている。図面では、受け部４４の延出部４４ａは、前面キャビネット４１の短辺に略平行になるようになっているが、短辺に略垂直でテレビジョン１００を設置した際に下になるように設けてもよい。このようにすると、受け部４４が第２の円柱部の下への力を支え易くなる。
【００２８】
また、受け部４４の延出部４４ａは、第２の円柱部２６の曲面に沿うように緩やかな曲面をえがいている。曲面は第２の円柱部２６の円周の約３分の１程度から約２分の１までが延出部４４ａに接する。
このように、受け部４４の延出部４４ａを第２の円柱部２６の曲面に沿うようにすると、後述するように第２の円柱部２６を受け部にスライド挿入させた際に、接する面積が広くなり、収まりがよくなる。
なお、延出部４４ａは曲面をえがかない平面としてもよい。その場合には成形が簡単になる。
【００２９】
受け部４４の屈曲した部分４４ｂは、第２の円柱部２６の上部の半分以上を覆うようになっている。このようにすることで、後述するように第２の円柱部２６を受け部にスライド挿入させた際に、ゴム部材２０が受け部４４に固定されることになる。
【００３０】
受け部４４の屈曲した部分４４ｂは、ゴム部材２０の連結部２５の直径と略同じ幅の挿入口が設けられ、挿入口は連結部２５の直径の半分以上の奥行きを持つ挿入部４４ｃを有している。つまり、第２の円柱部２６を受け部４４にスライド挿入させた際に連結部２５がその挿入口から奥の部分に半分以上収まることになる。なお、この挿入部４４ｃの奥側は、直線形状でも良いし、入り口側に開く半円形状となっていても良い。
【００３１】
なお、受け部４４は、スピーカ用の開口部４３の両端にそれぞれ２箇所ずつ設けられている。つまり、一つのスピーカ用の開口部毎に４箇所設けられている。このように構成することで、テレビジョン１００を設置した際のスピーカ３０の左右上下の４箇所で固定することになる。上下への力の際には、連結部２５が受け部４４の挿入部４４ｃに固定されていることで、上下に動かなくなる。また左への力の際には、スピーカ３０の右側にあるゴム部材２０の連結部２５がその受け部４４の挿入部４４ｃにあたるため、左にいけず、その結果スピーカ３０で繋がっている左側のゴム部材２０の連結部２３が、スピーカの貫通孔３３に固定されていることで左に動かなくなる。なお、右への力の際には左への力の逆向きの動きをする。そのため、ゴム部材２０によって、スピーカ３０と前面キャビネット４１が固定されることになる。
【００３２】
次に、ゴム部材２０による前面キャビネット４１とスピーカ３０の固定方法について説明する。図５は、ゴム部材２０で、スピーカ３０を固定した際の断面図である。このような状態にするために、以下の作業を行う。
ゴム部材２０の第２の円柱部２６は、前面キャビネット４１の受け部４４にスライド挿入する形でセットされ、ゴム部材２０の連結部２５が、受け部４４の挿入部４４ｃに位置決めされる。これにより、第２の円柱部２６は、屈曲した部分４４ｂに半分以上覆われ、テレビジョン１００を設置した際の上下にはほとんど動かなくなる。
【００３３】
次に、ゴム部材２０の先端部２１をスピーカ２０の貫通孔３３にスピーカ２０の開口部に面する側から挿入する。逆側に出てきた先端部２１をもって、引っ張ると、山型部２２が貫通孔３３に対して角度がついているため、引っ張られた方向に伸びやすく、伸びることで径の細い貫通孔３３を通り抜けることができ、貫通孔３３を一度通り抜けると元の径に戻ることで、山型部２２が貫通孔３３を通り抜ける。この際、先端部２１の球状部位２１ａが滑り止めの役割をし、引っ張り易くなる。
【００３４】
つまり、スピーカ２０の貫通孔３３を山型部２２が挿通させられたことで、山型部２２と第１の円柱部２４の間にスピーカの取り付け部分３２が挟まれる。また、第２の円柱部２６を受け部４４にスライド挿入した際に、第１の円柱部２４と第２の円柱部２６の間に受け部４４の屈曲した部分４４ｂが挟まれる。このようにして、スピーカ２０が受け部４４の位置で前面キャビネット４１に固定される。ゴム部材２０によって、スピーカ２０が受け部４４の位置で前面キャビネット４１に固定される。
【００３５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３６】
【図１】本発明の実施形態にかかるパネル型テレビジョン装置の外観図である。
【図２】本発明の実施形態にかかるパネル型テレビジョン装置の概略構成ブロック図である。
【図３】本発明の実施形態にかかるゴム部材の斜視図である。
【図４】本発明の実施形態にかかるスピーカ部の取り付け部分の斜視図である。
【図５】本発明の実施形態にかかるゴム部材を挿入後の断面図である。
【符号の説明】
【００３７】
１１ａ…アンテナ、１１…チューナ、１２…映像音声処理部、１４…ディスプレイ、１５…マイコン、１６…電源回路、２０…ゴム部材、２１…先端部、２１ａ…球状部位、２２…山型部、２３…連結部、２４…第１の円柱部、２５…連結部、２６…第２の円柱部、２６…連結部、３０…スピーカ、３１…スピーカ本体部分、３２…スピーカ取り付け部分、３３…貫通孔、４０…キャビネット、４１…前面キャビネット、４２…後面キャビネット、４３…スピーカ用の開口部、４４…受け部、４４ａ…延出部、４４ｂ…部分、４４ｃ…挿入部、５０…脚部、１００…テレビジョン。
【図１】
2008258752.tif 000003
【図２】
2008258752.tif 000004
【図３】
2008258752.tif 000005
【図４】
2008258752.tif 000006
【図５】
2008258752.tif 000007